【事件の表示】
　特願２００２−　９７４３３「画像形成装置」拒絶査定不服審判事件〔平成１５年１０月１７日出願公開、特開２００３−２９６０６５〕について、次のとおり審決する。
【結　論】
　本件審判の請求は、成り立たない。
【理　由】
１．手続の経緯
　本願は平成１４年３月２９日の出願であって、平成１８年３月９日付けで拒絶査定がなされ、これに対して平成１８年４月１３日に拒絶査定に対する審判が請求されるとともに、同年５月１２日付けで手続補正がなされたものである。
　
２．平成１８年５月１２日付け手続補正について
［補正却下の決定の結論］
　平成１８年５月１２日付け手続補正（以下「本件補正」という。）を却下する。
［理由］
　補正後の本願発明
　本件補正により、特許請求の範囲の請求項１は次のとおり補正された。
「夫々異なる画像形成処理を行う複数のアプリケーションと、該複数のアプリケーションから要求されたジョブに基づいて所定処理を実行するエンジン部を制御するエンジン制御手段と、該要求されたジョブの登録をして該ジョブを管理するジョブ管理手段とを有する画像形成装置であって、
　上記エンジン制御手段は、要求されたジョブ毎に算出した上記所定処理に要する所要時間を上記ジョブ管理手段に通知して該所定処理を実行し、
　上記ジョブ管理手段は、ジョブ毎に上記所要時間を示す構造体データを保持し、上記ジョブ毎に該構造体データの上記所要時間を更新し、上記複数のアプリケーション毎の要求に応じて該構造体データからジョブ毎の所要時間を取得してその要求元に通知し、
　上記複数のアプリケーションの１つは、ネットワークを介して受信した外部の要求に応じて上記エンジン制御手段に所定処理を行なわせるＷｅｂサービスを備え、該Ｗｅｂサービスが上記ジョブ毎の所要時間を外部の要求元へ送信することを特徴とする画像形成装置。」
　
　上記補正により、補正前の請求項１に「上記ジョブ管理手段は、上記複数のアプリケーション毎に上記エンジン制御手段によって通知された上記所要時間を表示させる」とあるのが、「上記ジョブ管理手段は、ジョブ毎に上記所要時間を示す構造体データを保持し、上記ジョブ毎に該構造体データの上記所要時間を更新し、上記複数のアプリケーション毎の要求に応じて該構造体データからジョブ毎の所要時間を取得してその要求元に通知し、
　上記複数のアプリケーションの１つは、ネットワークを介して受信した外部の要求に応じて上記エンジン制御手段に所定処理を行なわせるＷｅｂサービスを備え、該Ｗｅｂサービスが上記ジョブ毎の所要時間を外部の要求元へ送信する」と補正された。
　この補正は、ジョブ管理手段に関し、補正前の「上記ジョブ管理手段は、上記複数のアプリケーション毎に上記エンジン制御手段によって通知された上記
所要時間を表示させる
　
　したがって、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
３．本願発明について
　平成１８年５月１２日付け手続補正は上記のとおり却下されたので、本願の請求項１に係る発明（以下、「本願発明」という。）は、平成１８年２月２０日付け手続補正書の特許請求の範囲の請求項１に記載された事項により特定される、以下のとおりのものである。
「夫々異なる画像形成処理を行う複数のアプリケーションと、該複数のアプリケーションから要求されたジョブに基づいて所定処理を実行するエンジン部を制御するエンジン制御手段と、該要求されたジョブの登録をして該ジョブを管理するジョブ管理手段とを有する画像形成装置であって、
　上記エンジン制御手段は、要求されたジョブ毎に算出した上記所定処理に要する所要時間を上記ジョブ管理手段に通知して該所定処理を実行し、
　上記ジョブ管理手段は、上記複数のアプリケーション毎に上記エンジン制御手段によって通知された上記所要時間を表示させることを特徴とする画像形成装置。」
　
（１）引用刊行物
　原査定の拒絶の理由に引用された、本願の出願日前に頒布された刊行物「特開平６−２５３０６６号公報」（以下「引用刊行物１」という。）には、図面とともに以下の記載がある。
「【０００１】
【産業上の利用分野】この発明はレーザプリンタやデジタル複写機等の機器において複数のアプリケーションプログラムからの印刷要求を調停するマルチアプリケーション調停装置に関する。
【０００２】
【従来の技術】近年、複数のアプリケーションプログラムを同時に並行処理することのできるレーザプリンタやデジタル複写機等の機器が普及してきている。また、レーザプリンタやデジタル複写機をオンラインを通じてホストコンピュータと接続し、ホストコンピュータからの複数の印刷要求を処理するシステムのオンラインプリンタなども多用されている。
【０００３】このような機器やシステムでは、複数のアプリケーションプログラムを同時に並行処理し、各アプリケーションプログラムからの印刷要求に基づく印刷処理を所定の規則に基づいて処理している。そのために各アプリケーションプログラムからの複数の印刷要求を確実に実行するための処理調整を行なうマルチアプリケーション調停装置が接続又は備えられている。
【０００４】従来のマルチアプリケーション調停装置では、複数のアプリケーションプログラムからの印刷要求を受け付けると、その受信した印刷要求を先着順に待ち行列（キュー）に蓄積し、そのキューに最初に蓄積された印刷要求から先着順にしたがって順次印刷処理を実行する先入先出メモリ（ＦＩＦＯ）方式を取っていた。」（第２頁）
　
「【００２７】
【実施例】以下この発明の実施例を図面に基づいて具体的に説明する。図１はこの発明の一実施例であるマルチアプリケーション調停装置のハード構成を示すブロック図である。このマルチアプリケーション調停装置は、入力部１，プリンタアプリケーション部２，ファックス（ＦＡＸ）アプリケーション部３，人工知能（ＡＩ）コピーアプリケーション部４，システムコントロール部５，プロッタ部６，及び表示部７からなる。
【００２８】そして、このマルチアプリケーション調停装置はプリンタアプリケーション部２とＦＡＸアプリケーション部３とＡＩコピーアプリケーション部４の各アプリケーションプログラムを並行処理し、その各アプリケーションプログラムからの印刷要求に応じて所定の優先順位に基づいてプロッタ部６による印刷処理を行なう。」（第４頁）
　
「【００４２】プロッタ部６はドット方式，インクジェット方式，又はレーザ方式の印刷機であり、システムコントロール部５による印刷制御にしたがって、プリンタの印刷、ファクシミリ印刷、ＡＩコピーを行なう。表示部７はＣＲＴ，ＬＣＤ等のディスプレイであり、各種の作業指示やメッセージや、現在どのアプリケーションプログラムからの印刷要求による印刷処理を実行しているのかなどを表示する。」（第５頁）
　
「【００４３】図２は図１に示したシステムコントロール部５の機能構成を示すブロック図である。このシステムコントロール部５は、対アプリケーションインタフェース（Ｉ／Ｆ）回路部１０，入力情報判別回路部１１，印刷キュー部１２，印刷キュー制御回路部１３，優先順位上限値バッファ部１４，印刷回数記憶バッファ部１５，優先順位情報記憶バッファ部１６，前回印刷アプリケーション種記憶バッファ部１７，印刷回路部１９，及び印刷アプリケーション名表示回路部２０の各機能を備えている。」（第５頁）
　
「【００４５】入力情報判別回路部１１は、対アプリケーションＩ／Ｆ回路部１０によって受信したプリンタアプリケーション部２とＦＡＸアプリケーション部３とＡＩコピーアプリケーション部４からの入力情報を判別する。印刷キュー部１２はプリンタアプリケーション部２とＦＡＸアプリケーション部３とＡＩコピーアプリケーション部４の各アプリケーションプログラムからの印刷要求を蓄積する。
【００４６】印刷キュー制御回路部１３は、優先順位決定回路部１８からの指示にしたがって印刷キュー部１２に蓄積されている印刷要求を読み出して優先順位決定回路部１８へ送る。優先順位上限値バッファ部１４はプリンタアプリケーション部２とＦＡＸアプリケーション部３とＡＩコピーアプリケーション部４の各アプリケーションプログラム毎の印刷の優先順位の上限値を格納する。」（第５頁）
　
「【００４８】前回印刷アプリケーション種記憶バッファ部１７は印刷処理を行なったアプリケーションプログラムの種類を記憶する。印刷回路部１９は優先順位決定回路部１８から出力される印刷データをプロッタ６に印刷させる制御処理を行なう。印刷アプリケーション名表示回路部２０は優先順位決定回路部１８から出力される印刷中のアプリケーションプログラム名を表示する。」（第５頁）
　
　これら引用刊行物１の記載から、引用刊行物１には以下の発明（以下、「引用発明」という。）が記載されているものと認められる。
「プリンタアプリケーション部と、ＦＡＸアプリケーション部と、ＡＩコピーアプリケーション部と、システムコントロール部と、プロッタ部と、表示部とを有するマルチアプリケーション調停装置であって、システムコントロール部は印刷キュー部と、印刷キュー制御回路部と、優先順位決定回路部と、印刷回路部と、印刷アプリケーション名表示回路部とを有し、上記各アプリケーション部からの印刷要求は印刷キュー部に蓄積され、印刷キュー制御回路部は優先順位決定回路部の指示により印刷キューから印刷要求を読み出して印刷要求を優先順位決定回路部に送り、印刷回路部は優先順位決定回路部から出力される当該印刷要求をプロッタ部に印刷処理させる制御処理を行い、印刷アプリケーション名表示回路部は各種の作業指示、メッセージ、あるいは優先順位決定回路部から出力される印刷中のアプリケーションプログラム名を表示する、マルチアプリケーション調停装置。」
　
　同じく、原査定の拒絶の理由に引用された、本願の出願日前に頒布された刊行物「特開２００１−２４９７８２号公報」（以下「引用刊行物２」という。）には、図面とともに以下の記載がある。
「【請求項１１】  ユーザが直接操作する情報処理装置と、複数台の画像形成装置と、前記情報処理装置からの要求に応じて前記複数の画像形成装置を制御する画像処理装置とが接続された画像処理システムにおいて、
前記画像処理装置が、画像データ群を入力する入力手段と、該入力手段により入力された画像データ群の各種状態を可視表示する第１の可視表示手段と、前記入力手段により入力された画像データ群に画像処理を施す画像処理手段と、前記入力手段により入力された画像データ群を複数台の画像形成装置のうちの少なくとも２台以上の画像形成装置に分散して転送することを可能とする分散手段とを備え、
かつ、前記第１の可視表示手段が、分散処理された分散画像データ群と分散処理されなかった非分散画像データ群との区分が可能となるように前記画像処理された画像データ群を表示することを特徴とする画像処理システム。
　・・・
【請求項１７】  前記情報処理装置が、前記入力手段により入力された画像データ群の各種状態を可視表示する第２の可視表示手段を有し、該第２の可視表示手段は、前記分散手段により分散処理された分散画像データ群と分散処理されなかった非分散画像データ群とが区分可能となるように前記画像処理された画像データ群を表示することを特徴とする請求項１１乃至請求項１６のいずれかに記載の画像処理システム。
　・・・
【請求項２０】  前記画像データ群の各種状態には、前記画像データのファイル名称、該画像データ群の優先度、該画像データ群に固有の識別情報、該画像データ群の出力先となる画像形成装置の固有名称、用紙サイズ、出力枚数、前記画像データ群のページ数、使用者名、画像データ群の処理に要する残時間が含まれることを特徴とする請求項１１乃至請求項１９のいずれかに記載の画像処理システム。」（第２〜３頁）
　
「【０００１】
【発明の属する技術分野】本発明は画像処理装置と画像処理システム、及び画像データの処理方法に関し、より詳しくはネットワーク上に接続された複数台の画像形成装置の中から少なくとも２台以上の画像形成装置に対し１個の画像データ群（印刷ジョブ）を並列的に出力指令を発するように指令する画像処理装置と、前記画像処理装置と該画像処理装置に画像処理を要求する情報処理装置とプリンタ等の画像形成装置とがネットワークを介して互いに接続された画像処理システムと、前記画像処理装置を使用して画像データを処理する画像データの処理方法に関する。」（第４頁）
　
「【００１２】
【発明の実施の形態】次に、本発明の実施の形態を図面に基づいて詳説する。
【００１３】図１は本発明に係る画像処理システムの一実施の形態を示すシステム構成図である。
【００１４】１０２はドキュメントサーバであって、ＣＰＵ、ＲＡＭ、イメージディスク（ＨＤＤ）等が搭載されたマザーボード１１０には第１及び第２のＮＩＣ(NetworkInterface Card)１１１、１１２、専用Ｉ／Ｆカード１１３、及びＳＣＳＩカード１１４が接続されている。
【００１５】第１〜第３のクライアント１０３ａ〜１０３ｃは、パブリックネットワーク１０１ａを介して第１のＮＩＣ１１１に接続されている。該第１〜第３のクライアント１０３ａ〜１０３ｃは、所謂ＤＴＰ(Desk Top Publishing)を実行するアプリケーション・ソフトウェアを動作させ、各種文書／図形の作成・編集を行なうと共に、前記作成・編集された文書／図形をページ記述言語(Page DescriptionLanguage：以下「ＰＤＬ」という)に変換し、パブリックネットワーク１０１ａを経由してドキュメントサーバ１０２に転送する。
【００１６】また、スキャナ１０６ａ、１０６ｂは原稿用紙に描かれた画像データを取り込む。そして、スキャナ１０６ａで読み込まれた画像データはＳＣＳＩ１１４を介してドキュメントサーバ１０２のマザーボード１１０に転送され、スキャナ１０６ｂで読み込まれた画像データはパブリックネットワーク１０１ａ及び第１のＮＩＣ１１１を介してドキュメントサーバ１０２のマザーボード１１０に転送される。
【００１７】カラーＭＦＰ（Multi Ｆunction Peripheral:マルチファンクション周辺機器）１０４は、高解像度、高階調のフルカラーで画像データの読取・印刷を行うことができ、膨大なデータ量に対処するために本実施の形態では専用ケーブル１０９を介して専用Ｉ／Ｆ１１３に接続されている。尚、白黒ＭＦＰ１０５と同様に、カラーＭＦＰ１０４をネットワーク１０１上に接続するような構成でも良い。
【００１８】第１〜第４のモノクロＭＦＰ１０５ａ〜１０５ｄは、モノクロで画像データの読取・印刷を行うことができ、さらに、低解像度や二値の簡易的なカラースキャン、カラー印刷などを行うことができ、プライベートネットワーク１０１ｂを介して第２のＮＩＣ１１２に接続されている。
【００１９】また、プライベートネットワーク１０１ｂにはプリンタ１０７が接続される他、ファクシミリ装置等の任意の通信機器が接続可能とされている。
【００２０】しかして、カラーＭＦＰ１０４及びモノクロＭＦＰ１０５（以下、両者を総称して「ＭＦＰ１０４、１０５」と記すことがある）は、上述したように夫々専用Ｉ／Ｆ１１３及び第２のＮＩＣ１１２を介してドキュメントサーバ１０２に接続され、ドキュメントサーバ１０２を介して第１〜第３のクライアント１０３ａ〜１０３ｃと通信することができる。また、ドキュメントサーバ１０２及び第１〜第３のクライアント１０３ａ〜１０３ｃは、ＭＦＰ１０４、１０５からの情報に基づいて動作するユーティリティ・ソフトウェアを有しており、ＭＦＰ１０４、１０５はドキュメントサーバ１０２又はクライアント１０３により管理される。
【００２１】図２はＭＦＰ１０４、１０５の詳細を示すブロック構成図であって、該ＭＦＰ１０４、１０５は、画像データの読取処理を行うスキャナ部２０１と、該スキャナ部２０１で読み取った画像データを画像処理するスキャナＩＰ（Image Processing）部２０２と、電話回線を利用した画像の送受信を行うファクシミリ送受信部（以下、「ＦＡＸ部」という）２０３と、ネットワークを利用して画像データや装置情報の授受を行うＮＩＣ部２０４と、カラーＭＦＰ１０４との情報交換を行うＩ／Ｆ部２０５と、ＭＦＰ１０４、１０５の動作モードに応じて画像信号を一時的に保存したり、画像信号の伝送経路を決定するコア部２０６とを備えている。
【００２２】そして、コア部２０６から出力された画像データは、プリンタＩＰ部２０７及びＰＷＭ（Pulse Width Modulation:パルス幅変調）部２０８を経由してプリンタ部２０９に送られる。そして、プリンタ部２０９では記録用紙上に画像形成がなされ、プリンタ部２０９から出力された記録用紙はフィニッシャ部２１０に送り込まれ、該フィニッシャ部２１０で記録用紙の仕分処理や仕上処理が行われる。
【００２３】Ｉ／Ｆ部２０５は４色８ビットの画像データと通信線とからなり、ＣＭＹＫの多値ビットをパラレルに送受信することにより、カラーＭＦＰ１０４との間でインターフェイス動作を司る。
【００２４】尚、このようにＩ／Ｆ部２０５を介して専用Ｉ／Ｆ１１３とドキュメントサーバ１０２とを接続したのは、例えばイーサネット（登録商標）ケーブルを利用して送受信した場合は、カラーＭＦＰ１０４の有する能力を最大限に生かした伝送速度で印刷ジョブを転送することができない虞があり、またネットワークに接続された他のデバイスの能力低下を招来する虞があることを考慮したからである。」（第５〜６頁）
　
「【００７０】図１４はドキュメントサーバ１０２の詳細を示すブロック構成図である。
【００７１】第１のＮＩＣ１１１やＳＣＳＩ１１４から入力された印刷ジョブは、入力デバイス制御部１２０１を介して入力ジョブ制御部１２０２に供給される。
【００７２】そして、入力ジョブ制御部１２０２はジョブの要求されたリストを管理し、該ドキュメントサーバ１０２に供給された個々の印刷ジョブにアクセスするためにジョブリストを作成し、さらに該入力ジョブ制御部１２０２は、印刷ジョブの出力ルートを決めるジョブルーティング機能と、印刷ジョブを印刷属性に応じて分割してビットマップデータに展開するか否か、すなわちＲＩＰ（Rasterize Image Processing）処理を行う否かを決定するジョブ分割機能と、印刷ジョブの実行順序を決定するジョブスケジューリング機能とを有している。
【００７３】入力ジョブ制御部１２０２から出力された印刷ジョブはラスタライズ処理(ＲＩＰ)部 １２０３ａ、１２０３ｂ…に供給される。すなわち、ＲＩＰ部１２０３は複数個設けられており、入力ジョブ制御部１２０２で決定された分割数に応じて各ＲＩＰ部１２０３ａ、１２０３ｂ…に分割された印刷ジョブが供給され、該ＲＩＰ部１２０３ａ、１２０３ｂ…で所定のＲＩＰ処理が行われる。つまり、ＲＩＰ処理部１２０３は様々な印刷ジョブのＰＤＬデータをＲＩＰ処理して、適切なサイズと解像度のビットマップデータを作成する。尚、ＲＩＰ処理に関しては、PostScript(米国Adobe社)をはじめ、 ＰＣＬ、ＴＩＦＦ（Tag Image File Format）、 ＪＰＥＧ、ＰＤＦ（Portable Data Format）等の様々なフォーマットのラスタライズ処理を行うことができる。
【００７４】次いで、データ変換部１２０４は、ＲＩＰ処理部１２０３でのＲＩＰ処理によって作成されたビットマップデータを圧縮したり、フォーマット変換を行い、各出力デバイス１０４、１０５、１０７に適合した最適画像データタイプを選択する。例えば、印刷ジョブをページ単位で扱いたい場合には、ＴＩＦＦやＪＰＥＧ等をＲＩＰ処理部１２０３でラスタライズし、該ラスタライズ処理されたビットマップデータにＰＤＦヘッダを付し、ＰＤＦデータとして編集するなどの処理を行う。
【００７５】出力ジョブ制御部１２０５は、印刷ジョブの各ページの画像データを検出し、該画像データがコマンド設定に基づいてどのように取り扱われるかを管理する。そして前記画像データは出力デバイス制御部１２０６に転送され、或いはイメージディスク（ハードディスク）１２０７に格納される。尚、印刷後のジョブは、イメージディスク１２０７に保存するか否かの選択が可能とされ、保存された場合には再度読み出すことができる。
【００７６】出力デバイス制御部１２０６は、印刷ジョブをいずれの出力デバイスに出力するか、或いはいずれの出力デバイスに対してクラスタリング(複数台接続して一斉にプリントすること)の設定を行うかを制御し、印刷ジョブを第２のＮＩＣ１１２又は／及び専用Ｉ／Ｆ１１３に転送する。
【００７７】尚、この場合、該出力デバイス制御部１２０６は出力デバイスの状態を監視し装置状況を取得する。」（第８〜９頁）
　
「【０１０２】図２０はプリンタドライバのユーザ・インターフェースであって、プリンタ１０７等の出力先デバイスを駆動するためにドキュメントサーバ１０２又はクライアント１０３にインストールされて表示画面に表示され、ユーザは該表示画面上で所望のパラメータを設定指示し、所望の画像イメージを出力先デバイスに送信することができる。
【０１０３】すなわち、１６０１はプリンタドライバウィンドウであって、該ウィンドウ１６０１は、出力先を選択する出力先デバイス選択表示欄１６０７と、印刷ジョブの中から出力ページを選択するためのページ設定表示欄１６０３と、印刷部数を指定する部数設定表示欄１６０４とを有している。」（第１１頁）
　
「【０１２４】図２４はジョブステータスを示すユーザインターフェースであって、該ジョブステータスは、各ＭＦＰ１０４、１０５やプリンタ１０７（以下、「ＭＦＰ等」という）のステータスを表示するステータス表示部２００１と、ドキュメントサーバ１０２内で処理しているジョブの状態を表示するアクティブジョブ表示部２００２と、終了したジョブの履歴を表示するフィニッシュジョブ表示部２００３とを有している。
【０１２５】ステータス表示部２００１は、ユーザが使用するＭＦＰ等の固有名称を表示する名称表示部２００５と、ＭＦＰ等のステータスをアイコンで表示するアイコン表示部２００６と、全てのジョブ処理が終了するまでの予定時間を表示する時間表示部２００７とを有している。」（第１２頁）
　
「【０１３０】また、プライオリティ表示欄２０１３は印刷ジョブの優先度を表示する。ジョブＩＤ表示欄２０１４は印刷ジョブの識別子（ＩＤ）を表示し、プリンタ名表示欄２０１５は印刷出力するＭＦＰ等の固有名称を表示し、斯かる固有名称はユーザが任意に付すことができる。用紙サイズ表示欄２０１６はＭＦＰ１０４、１０５で排出する用紙サイズを表示し、部数表示欄２０１７はコピー部数を表示し、ページ数表示部２０１８は印刷ジョブ中の処理済のページ数を表示する。ユーザ名表示欄２０１９は印刷ジョブを実行するユーザ名を表示し、時間表示欄２０２０は、印刷ジョブの処理が終了するまでの時間を表示する。」（第１３頁）
　
「【０１４２】しかして、本画像形成システムにおいては、必要に応じてドキュメントサーバ１０２からの指令に基づき複数台の出力デバイス、すなわちＭＦＰ１０４、１０５、又はプリンタ１０７に同時に印刷出力するクラスタプリントを行うことができ、例えばカラー画像データ（以下、単に、「カラーデータ」という）はカラーＭＦＰ１０４から印刷出力可能とされ、白黒画像データ（以下、「白黒データ」という）はモノクロＭＦＰ１０５から印刷出力可能とされている。
【０１４３】尚、クラスタプリントでは下記の３種類のデータ分割転送方式がある。
【０１４４】（１）ジョブ分割方式
これは、第１のジョブをＭＦＰ１０５ａに転送し、第２のジョブをＭＦＰ１０５ｂに転送する場合のように、ジョブが各出力デバイスに対し常に均等になるように空状態の出力デバイスを検出し、これにより待機中の印刷ジョブが極力少なくなるように負荷分散するプリント方式である。
【０１４５】（２）部数分割方式
これは、１つの印刷ジョブの印刷部数をクラスタ設定された出力デバイスで均等分割する方式である(但し、端数が出た場合は、いずれかの出力デバイスに該端数が割り当てられる)。
【０１４６】（３）ページ分割方式
これは、１つの印刷ジョブのページをクラスタ設定された出力デバイスで均等分割する方法である(ただし、端数が出た場合には、上記部数分割方式と同様、いずれかの出力デバイスに端数が割り当てられる)。」（第１４頁）
　
　これら引用刊行物２の記載から、引用刊行物２には以下の技術が記載されているものと認められる。
「画像データの読取・印刷を行うモノクロＭＦＰ、及び画像データの読取・印刷を行うカラーＭＦＰ及をドキュメントサーバ（画像処理装置）に接続する画像処理システムであって、前記ドキュメントサーバは、前記モノクロＭＦＰ、及び前記カラーＭＦＰに画像データの読取・印刷ジョブを行わせ、ドキュメントサーバのステータス表示部にジョブが終了するまでの時間を表示させる画像形成システム。」
　
　同じく、原査定の拒絶の理由に引用された、本願の出願日前に頒布された刊行物「特開２００２−７０９５号公報」（以下「引用刊行物３」という。）には、図面とともに以下の記載がある。
「【００５５】図２に示したように、本装置内部ではＷｅｂサーバ１５０３が稼動しており、これによりＨＴＴＰ(Hyper Text Transfer Protocol)による通信が可能となっている。Ｗｅｂサーバ１５０３ではクライアントからの要求により起動されるＣＧＩ(Common Gateway Interface)プログラムを動作させることができる。図３のＨＤＤ２００４中にはリソースファイル群、ページのテンプレートファイル群が格納されており、これらがリモートＵＩにおいて使用される。リソースファイルはページ表示に用いられるＨＴＭＬ(Hyper Text Makeup Language)ファイルや画像ファイルなどである。テンプレートファイルは、ＣＧＩプログラムから参照されページを作成するのに用いられるファイルである。
【００５６】本装置にアクセスするために、ユーザはＵＲＬ(Uniform Resource Locator)を直接ウェブブラウザに入力するか、該ＵＲＬが埋め込まれたリンクを選択する。ウェブブラウザは、所望のＵＲＬを指定するＨＴＴＰコマンドをＬＡＮ２０１１等の通信路を介して送信する。Ｗｅｂサーバ１５０３は、このＨＴＴＰコマンドを受け取り、そのＨＴＴＰコマンドを解析し、それに応じた動作を行う。
【００５７】クライアントのウェブブラウザからの要求がＣＧＩの要求でなければ、前述のリソース群の中から指定されたリソースをウェブブラウザに送信して処理を終了する。
【００５８】ウェブブラウザからの要求がＣＧＩプログラムであった場合、対応するＣＧＩプログラムが起動する。ＣＧＩプログラムは起動時にクエリーパラメータを受け取ることができ、ユーザがブラウザから指定した値が渡される。
【００５９】ＣＧＩプログラムは、その要求に応じて装置情報の取得・設定や、プリント出力等の動作を本体に要求する。また、ＣＧＩプログラムはそのページに対応したテンプレートファイルを使って送信するページを作成していく。テンプレートファイル中には、取得された情報を用いて記述を変更する部分があり、これによりその時の状態に応じたページの内容を作成することができる。
【００６０】一方、発信側ウェブブラウザは、本装置から返されたページをホストコンピュータのディスプレイ上に表示しユーザに示す。ウェブブラウザに返信される上述のページにおいて、ユーザの入力をチェックし、適切でない場合（許容されていない値が入力された場合など）、再度、入力を促すためのスクリプトコードが含まれている。
【００６１】こうしてウェブブラウザを利用して装置にアクセスすることにより、装置外部から装置の機能・状態・保持情報を取得および設定し、また装置を操作することが可能となる。リモートＵＩによって取得・設定できる情報は、例えば利用できる紙サイズや残量などの装置情報、投入されたジョブの情報、記憶装置に蓄積されている文書情報、E-mailやＦＡＸなどのアドレス情報、ネットワークに関する設定情報などである。また、リモートＵＩによって行わせることが可能な動作としては、機器内に保持されている文書情報のプリントアウトや送信などがある。」（第７〜８頁）
　
「【００７１】図１０はトップページでジョブステータスボタン１０４を押した後に表示されるジョブステータスページの表示例を示す図である。
【００７２】ジョブステータスボタン１０４を押す（クリック）ことにより、ジョブステータスページを表示するべくＨＴＴＰコマンドが画像処理装置２００へ送信され（ステップＳ１０２）、これを受けた画像処理装置２００は図１０に示す表示内容を記述したＨＴＭＬファイルを送信する（ステップＳ１１５）。
【００７３】ホストコンピュータ１０はこのＨＴＭＬファイルを受信し、それを解析することで図１０のごときページを表示する（ステップＳ１０３、Ｓ１０４）。ジョブステータスページでは、現在画像処理装置２００内に投入されている種々のジョブ状況の一覧が表示される。インデックス領域１０１に表示されたサブメニュー１１１により、表示するジョブの種類（プリントジョブ（Print Job）、コピージョブ（Copy Job）、送信ジョブ（Send Job）、ＦＡＸジョブ（Fax Job）、受信ジョブ（Receive Job））を選択することが可能であり、選択されたジョブの種類のジョブ状況一覧がメイン領域１０２に表示される。図１０ではプリンタ部２０９５を使用する全てのジョブの状況を表示するためにプリントジョブが選択された状態を示しており、メイン領域１０２にはプリントジョブ状況の一覧が表示されている。また、プリントジョブログボタン１１２を押すことにより、プリントジョブログページが表示される。」（第９頁）
　
　また、原査定において引用された、本願の出願日前に頒布された刊行物「特開平１１−１９８４９１号公報」（以下「周知刊行物」という。）には、図面とともに以下の記載がある。
「【００６８】図６は、図３に示した操作パネル１ａの表示部５０２，図１に示したＰＣ／ＷＳ１２の表示部に表示される処理時間表示画面の一例を説明する図である。
【００６９】図において、４０は処理時間表示画面である。４１は順番表示欄で、画像出力ジョブの処理順序を示し、新しい画像出力ジョブが発生すると最下段に行が加わり、１つのジョブが終了すると、そのジョブは消されて残ったジョブの順番が１つずつ繰り上がる。４２は機能表示欄で、画像出力を行う機能を表示する欄であり、本実施形態では例えば、「コピー」，「プリンタ」，「ＦＡＸ受信」，「ファイル出力」である。なお、リーダ部１の操作パネル１ａのキー設定中でその動作が確定しないうちは、「オフライン」と表示され、動作が設定され確定したところで、前述の機能が表示される。
【００７０】４３はクライアント表示欄で、ＰＣ／ＷＳ１２から操作した場合の使用者名を表示している。なお、使用者名はこのネットワーク上であらかじめ設定しておくか、ＰＣ／ＷＳ１２のユーザＩＤより設定する。４４は印刷所要時間表示欄で、図５に示した画像展開時間演算テーブルに基づいて図２に示したコア部１０のＣＰＵ１２３により算出される印刷所要時間を表示する。４５は印刷終了時間表示欄で、該当するジョブの印刷が終了するまでの時間を表示する。なお、この印刷終了時間は、印刷中のジョブを含めて順番が１の印刷ジョブから該当する印刷待ちジョブまでの各印刷所要時間の総和である。」（第８頁）
　
（２）対比
　本願発明と引用発明を対比すると、
　引用発明の印刷回路部は印刷要求をプロッタ部に印刷させる制御処理を行うから、引用発明の「印刷回路部」、及び「印刷要求」、及び「プロッタ部」はそれぞれ本願発明の「エンジン制御手段」、「ジョブ」及び「エンジン部」に相当する。
　引用発明の「プリンタアプリケーション部」、「ＦＡＸアプリケーション部」、及び「ＡＩコピーアプリケーション部」はエンジン部（プロッタ部）にジョブ（印刷要求）を実行させて印刷を行っており、引用発明の各アプリケーションは、それぞれ固有の画像形成処理を行っているということができから、引用発明の「各アプリケーション」は、本願発明の、夫々異なる画像形成処理を行う複数の「アプリケーション」に相当する。
　また、引用発明はジョブ（印刷要求）に基づいてエンジン制御手段（印刷回路部）の制御によりエンジン部（プロッタ部）に「印刷処理」を行わせているから、引用発明の「印刷処理」は、本願発明の「所定処理」に相当する。
　また、引用発明の表示される「印刷中のアプリケーションプログラム名」と、本願発明の表示される、ジョブの所定処理に要する「所要時間」とは、「ジョブに関する情報」である点で共通する。
　また、引用発明のシステムコントロール部の印刷キュー部と、印刷キュー制御回路部と、優先順位決定回路部と、印刷アプリケーション名表示回路部（以下、「システムコントロール部（印刷回路部を除く）」という。）は、要求されたジョブを登録し、管理し、ジョブに関する情報を表示させているから、本願発明の「ジョブ管理手段」に相当する。
　そして、引用発明の「マルチアプリケーション調停装置」は、複数のアプリケーションと、エンジン制御手段と、ジョブ管理手段とを有しているから本願発明の「画像形成装置」に相当する。
　
　したがって、両者は
「夫々異なる画像形成処理を行う複数のアプリケーションと、該複数のアプリケーションから要求されたジョブに基づいて所定処理を実行するエンジン部を制御するエンジン制御手段と、該要求されたジョブの登録をして該ジョブを管理するジョブ管理手段とを有する画像形成装置であって、
　上記エンジン制御手段は、該所定処理を実行し、
　上記ジョブ管理手段は、ジョブに関する情報を表示させることを特徴とする画像形成装置。」
の点で一致し、以下の点で相違している。
　
相違点
　本願発明では、エンジン制御手段は要求されたジョブ毎に算出した上記所定処理に要する所要時間を上記ジョブ管理手段に通知し、ジョブ管理手段は上記複数のアプリケーション毎に上記エンジン制御手段によって通知された上記所要時間を表示させるのに対して、引用発明では、エンジン制御手段が要求されたジョブ毎に算出した上記所定処理に要する所要時間を上記ジョブ管理手段に通知すること、ジョブ管理手段が複数のアプリケーション毎に上記エンジン制御手段によって通知された上記所要時間を表示させることについて記載されていない点。
　
（３）当審の判断
　以下、上記相違点について検討する。
　引用刊行物２、周知刊行物に記載されているように、画像形成装置においてジョブに関する情報として、所定処理に要する所要時間を要求されたジョブ毎に算出して表示することは周知である。
　また、情報の処理を何れの手段で行うか、情報を表示するに際してどのように表示するかは設計的事項である。そして、情報の表示に関しては更に、引用刊行物３に、ジョブに関する情報をジョブの種類毎（本願発明の「複数のアプリケーション毎」に相当する。）に表示することが記載されている。
　そうすると、引用発明のジョブに関する情報を表示させるジョブ管理手段に上記周知技術及び引用刊行物３に記載された技術を適用して、ジョブ管理手段により要求されたジョブの所定処理に要する所要時間を表示させるべく、引用発明のエンジン制御手段に要求されたジョブ毎に算出した上記所定処理に要する所要時間を上記ジョブ管理手段に通知させ、引用発明のジョブ管理手段に複数のアプリケーション毎に上記エンジン制御手段によって通知された上記所要時間を表示させて本願発明のように構成することは当業者が容易になし得ることである。
　
　そして、本願発明のように構成したことによる効果も引用発明、引用刊行物３に記載された技術及び周知技術から予測できる程度のものである。
　
　したがって、本願発明（請求項１に係る発明）は、引用発明、引用刊行物３に記載された技術及び周知技術に基づいて当業者が容易に発明をすることができたものである。
　
（なお、審判請求人は平成２１年２月２５日付け上申書において特許請求の範囲の補正案を提示しているが、当該補正案の請求項１に記載された、画像処理装置においてＷｅｂサービスによりアプリケーションの情報を外部の要求に応じて要求元に送信する点は、原査定の拒絶理由に引用された上記引用刊行物３（特開平２００２−７０９５号公報）に記載されている。）
　
（４）むすび
　以上のとおり、本願発明（請求項１に係る発明）は、引用発明、引用刊行物３に記載された技術及び周知技術に基づいて当業者が容易に発明をすることができたものである。
　したがって、本願はその余の請求項について論及するまでもなく、特許法第２９条第２項の規定により特許を受けることができない。
　
　よって、結論のとおり審決する。